(57)【要約】【課題】商品を展示する装置自体が、人目を引く魅力を備えた展示装置を提供する。【解決手段】半球状の上半分を透明のドーム１で構成する。その内部に移動して客の目を引く移動物体３を配置する。さらに移動物体３とともに、都会風のビル群などの展示台６を、透明な部材で構成して配置する。この展示台６の上や周囲に商品を置いたり、掛けたりして展示することができるように構成する。【選択図】図１
0003186733.tif 000002
【実用新案登録請求の範囲】
【請求項１】
半球状の上半分を透明のドームで構成し、
その内部に、位置を移動して客の目を引く鉄道模型、観覧車などの移動物体を配置し、
さらに移動物体とともに、都会風のビル群などによる商品展示台を、透明な部材で構成して配置し、
商品を、商品展示台や移動物体に置いたり、掛けたりして展示することができるように構成した、
商品展示装置。
【考案の詳細な説明】
【技術分野】
【０００１】
本考案は商品を展示するための装置に関するものである。
【背景技術】
【０００２】
従来の商品展示装置はたとえば図４に示すように、周囲をガラス板ａで包囲した矩形の容器であり、内部に水平に棚板ｂが配置してあり、その棚板ｂの上に商品を並べるような構造が一般的である。
【考案の概要】
【考案が解決しようとする課題】
【０００３】
前記したような従来の商品展示装置は、展示装置自体が特にお客の目を引くというものではなく、展示する商品の色彩や品質の魅力でお客の注意を引きよせるという展示手段である。
【課題を解決するための手段】
【０００４】
上記のような従来の課題を解決した本考案の商品展示装置は、半球状の上半分を透明のドームで構成し、その内部に、位置を移動して客の目を引く鉄道模型、観覧車などの移動物体を配置し、さらに移動物体とともに、都会風のビル群などによる商品展示台を、透明な部材で構成して配置し、商品を、商品展示台や移動物体に置いたり、掛けたりして展示することができるように構成したことを特徴とするものである。
【考案の効果】
【０００５】
本考案の商品展示装置は上記したようになるから、次のような効果の少なくともひとつを得ることができる。
＜１＞  商品の魅力もさることながら、展示装置自体の華やかさや移動物体の活動状態によってお客の注意をまず引きつけることができる。
＜２＞  特に透明なカバーの内部に、走行する鉄道模型や観覧車などの移動物体を配置することにより、来店した客の目を引くことができる。
＜３＞  さらに透明なカバーの内部に都会風のビル群などの商品展示台を配置し、その展示台や移動物体に商品を乗せたり掛けたりして展示することで、商品の高級感を作り出すことができる。
＜４＞  さらにビル群などの展示台を、透明な材料で構成することで、透過する照明が乱反射してさらに美観を発揮し、商品に格段に華やかな魅力を与えることができる。
【図面の簡単な説明】
【０００６】
【図１】本考案の装置の実施例の説明図。
【図２】照明を照射する構造の実施例。
【図３】他の実施例の説明図。
【図４】従来の展示装置の一例を示す図。
【考案を実施するための形態】
【０００７】
以下、図面を参照しながら本考案の商品展示装置の実施例を説明する。
【実施例】
【０００８】
＜１＞透明ドーム
本考案の装置はその上半分を、透明の半球状のドーム１によって構成する。
半球の底に当たる水平円盤を展示基盤２として、その上に、後述する移動物体３を中心としたジオラマを配置する。
展示基盤２の周囲は固定した環状の台４であり、透明ドーム１はその環状台４の上に搭載してあるので、ドーム１自体が回転するものではない。
ただし透明ドーム１に色彩模様などを描いた場合には、透明ドーム１自体を回転させてお客の目を引き寄せることもできる。
透明のドーム１の展示基盤２は成人、商品によっては子供が立って見下ろした場合に、目線よりも下方にありように設定する。
円盤状の展示基盤２自体を、その円心を中心にして、音楽に合わせたりしてゆっくりと回転させることもできる。
透明ドーム１の下部は、不透明の半球体とし、その下部は円筒状の脚部５に搭載する。
透明ドーム１の下半分や脚部５の内部に鉄道模型や観覧車などを制御するための装置や照明の配線などを配置する。
【０００９】
＜２＞移動物体
半球の底に当たる水平円盤を展示基盤２として、その上に移動物体３や展示台６などによって構成するジオラマを配置する。
ジオラマとは撮影や展示などに用いる立体模型のことである。
本考案の装置では走行、移動、回転する移動物体３としての鉄道模型や観覧車などと、都会風のビル群や遊園地の設備模型などの展示台６によってジオラマを構成する。
移動物体３が鉄道線路の場合にはそれを展示基盤２の平面上に配置してもよいが、複数本の支柱を立ててその上を高架に見立てて空中に線路を配置すると立体的な構造となってより人目を引くことができる。
移動物体３が観覧車の場合には水平軸を中心に回転する遊戯具であるから、元来立体的であり、人目を引くことができる。
【００１０】
＜３＞展示台
展示基盤２の上には、鉄道模型などの移動物体３とともに、商品の展示台６としてたとえば都会風のビル群や遊園地の遊戯具群を林立させる。
その際にビルや遊戯具をアクリルなどの透明な部材で構成すると、視覚が遮られずに重複した展示台６を見ることができる。
さらに展示基盤２の下や横、上から展示台６に照明を当てると、透明の展示台６に光が乱反射してより効果的である。
【００１１】
＜４＞照明構造
展示台６への光線の当て方として、例えば図２に示すような構造を採用することもできる。
すなわち展示基盤２を不透明のＦＲＰ板で構成し、その一部を開口部２１として開放する。
この開口部２１を下から半透明のアクリル板を閉塞板２２として閉塞し、そのアクリル板の上に、ビルの壁などの展示台６を搭載して固定する。
このビルの壁などを、白色でつやのあるＦＲＰ板で構成する。
そして展示基盤２の下からＬＥＤ２３の照明を照射する。
するとその光線は、不透明なＦＲＰ板の一部の開口部２１を閉塞したアクリル半透明の閉塞板２２を通して展示基盤２の上に届く。
そこには例えば白色表面の乳白アクリルの板で構成した展示台６が、ビルの壁や遊戯具などに模して立っているから、その展示台６を構成する壁面の板の内部から発光したという雰囲気を与えることができ、きわめてすぐれた美観を提供することができる。
その際に、ＬＥＤライト２３の色彩に時間的な変化を与えれば、さらに効果的である。
【００１２】
＜５＞展示方法
例えばネックレス、指輪といった装飾品のような高級商品を、上記した立体的に林立する展示台６のビル群の屋上や他の遊戯具の上、さらに移動する電車や観覧車の上に置いたり、掛けたりして展示する。
このように、展示する商品は平面にべた置きするのではなく、多数の立体的な展示台６、移動する移動物体３を利用して展示する。
そして展示基盤２の下から光線を照射すれば、きわめて変化に富んだ魅力的で人の目を引く展示を行うことができる。
【００１３】＜６＞他の実施例（図３）  上記の実施例とは異なるが、透明ドーム１の内部を霧８で充満させる。  この霧８を発生させるための霧発生装置７は、例えば（公序良俗違反につき、不掲載）など多数の市販品が存在するので、透明ドーム１の容積に応じた能力のものを選択すればよい。  その霧８の中から展示台が、昇降展示台６ａとして上昇し、下降する構造を採用する。  この昇降展示台６ａの上に商品を搭載して展示する。  昇降展示台６ａの昇降構造は、回転するモータ軸に取り付けたギヤやカムなどの公知の機械要素の組み合わせによって構成することができる。  このような構造の商品展示装置は、見る人にとって霧８の中からどんな商品が出てくるのか？といった期待感を持ってもらうことができ、昇降展示台６ａの上の商品は、来客に強い印象を与えることができる。
【符号の説明】
【００１４】
１：透明ドーム
２：展示基盤
３：移動物体
６：展示台
７：霧発生装置
【図１】
0003186733.tif 000003
【図２】
0003186733.tif 000004
【図３】
0003186733.tif 000005
【図４】
0003186733.tif 000006
【手続補正書】
【提出日】平成25年8月19日(2013.8.19)
【手続補正１】
【補正対象書類名】明細書
【補正対象項目名】００１３
【補正方法】変更
【補正の内容】
【００１３】
＜６＞他の実施例。（図３）
上記の実施例とは異なるが、透明ドーム１の内部を霧８で充満させる。
この霧８を発生させるための霧発生装置７は、多数の市販品が存在するので、透明ドーム１の容積に応じた能力のものを選択すればよい。
その霧８の中から展示台が、昇降展示台６ａとして上昇し、下降する構造を採用する。
この昇降展示台６ａの上に商品を搭載して展示する。
昇降展示台６ａの昇降構造は、回転するモータ軸に取り付けたギヤやカムなどの公知の機械要素の組み合わせによって構成することができる。
このような構造の商品展示装置は、見る人にとって霧８の中からどんな商品が出てくるのか？といった期待感を持ってもらうことができ、昇降展示台６ａの上の商品は、来客に強い印象を与えることができる。